(57)【要約】【課題】二重扉を外側から同時に開放できる開扉装置を提供する。【解決手段】建築物の部屋の出入口に設けられた二重扉が共に部屋の内側に向かって開放する内開きであり、当該二重扉を外側から開放するための開扉装置10である。当該開扉装置10が外側に位置する中扉の開閉用取手52kの上方に配置され、前記中扉を貫通する軸部12と、軸部12の外側端部に位置する操作杆11と、軸部12の内側端部に位置する作動杆13とから成る。前記操作杆11は前記軸部12と略直角に配置され、前記作動杆13も前記軸部12と略直角に配置されて、操作杆11を回動させることにより同じ方向に作動杆13も回動する。前記操作杆11を回動させることにより前記作動杆13も回動し、内側に位置する内扉の開閉用取手53nを同時に回動させて前記内扉の開閉用取手53nの掛止が解除され、前記中扉を内側に開放すると同時に前記内扉も内側に開放される。【選択図】図２
0003217503.tif 000002
【実用新案登録請求の範囲】
【請求項１】
建築物の部屋の出入口に設けられた二重扉が共に部屋の内側に向かって開放する内開きであり、当該二重扉を外側から開放するための開扉装置であって、
当該開扉装置が外側に位置する中扉の開閉用取手の上方に配置され、
当該開扉装置は、前記中扉を貫通する軸部と、軸部の外側端部に位置する操作杆と、軸部の内側端部に位置する作動杆とから成り、
前記操作杆は前記軸部と略直角に配置され、前記作動杆も前記軸部と略直角に配置されて、操作杆を回動させることにより同じ方向に作動杆も回動し、
前記操作杆を右方向又は左方向に回動させることにより前記作動杆も右方向又は左方向に回動して、内側に位置する内扉の開閉用取手を同時に右方向又は左方向に回動させて前記内扉の開閉用取手の掛止が解除され、前記中扉を内側に開放すると同時に前記内扉も内側に開放されることを特徴とする二重扉の開扉装置。
【請求項２】
建築物の部屋の出入口に設けられた二重扉が共に部屋の内側に向かって開放する内開きであり、当該二重扉を外側から開放するための開扉装置であって、
当該開扉装置が外側に位置する中扉の開閉用取手の下方に配置され、
当該開扉装置は、前記中扉を貫通する軸部と、軸部の外側端部に位置する操作杆と、軸部の内側端部に位置する作動杆とから成り、
前記操作杆は前記軸部と略直角に配置され、前記作動杆も前記軸部と略直角に配置されて、操作杆を回動させることにより同じ方向に作動杆も回動し、
前記操作杆を左方向又は右方向に回動させることにより前記作動杆も左方向又は右方向に回動して、内側に位置する内扉の開閉用取手を同時に左方向又は右方向に回動させて前記内扉の開閉用取手の掛止が解除され、前記中扉を内側に開放すると同時に前記内扉も内側に開放されることを特徴とする二重扉の開扉装置。
【請求項３】
前記操作杆の回動を阻止する回動阻止手段を中扉の外側面で、前記操作杆の近傍に設けたことを特徴とする請求書１又は２に記載の二重扉の開扉装置。
【請求項４】
前記回動阻止手段を前記操作杆の先端部の近傍に設けたことを特徴とする請求項３に記載の二重扉の開扉装置。
【考案の詳細な説明】
【技術分野】
【０００１】
本考案は、建築物の防音室等の二重扉の開扉装置に関するものである。
【背景技術】
【０００２】
本願出願人は、下記特許文献に示す通り、先に「防音室の施工方法及び防音材構成ユニット」に関して特許権を取得している。
当該特許権に係る発明は、既存の建築物の一室を防音室に改装する方法とその構成ユニットを提供することを課題としたものである。
【０００３】
その構成は、防音室の壁及び天井を構築するための壁材及び天井材をユニット化し、これらの壁材ユニット及び天井材ユニットを防音材構成ユニットから形成するものである。
この防音材構成ユニットは、上下の横枠と左右の縦枠から成る矩形形状の枠体と中間部縦方向に配設される１又は２以上の間柱と、前記枠体内部の背面側に配設された吸音板状体とから成る。
【０００４】
これらの防音材構成ユニットの複数を建築物の一室の壁面に所定間隔を維持して配設固定し、次にこれら防音材構成ユニットの上に天井面を形成する防音材構成ユニットを配設固定し、その後、上記防音材構成ユニットが配設された壁面部及び天井面部にスリット部及び／又は孔部が穿設された吸音板を嵌め込み固定し、その後前記吸音板の表面側に吸音板状体を嵌め込み固定して防音室を形成するものである。
【先行技術文献】
【特許文献】
【０００５】
【特許文献１】特許第６２７１７９７号公報
【考案の概要】
【考案が解決しようとする課題】
【０００６】
上記施工方法において、防音室の扉は、その防音性能を落とさないために、二重扉に形成される。
上記施工方法では、既存の部屋の内装を改装して防音室を後から追加的に付加形成するために、当該部屋の元々の扉を含めると、その出入り口は三重扉となるのである。
【０００７】
そこで、この三重扉は、部屋の内側から外に出る際には、問題なく、内扉、中扉、そして外扉と順次開放して外にでることが出来るのであるが、逆に、外から部屋の内側に入室する際には、問題が生じる。
【０００８】
図１は、この状況を説明するための説明図である。
既存の部屋の外壁５０の出入り口には外扉５１が外側に開放するように設けられている。
この既存の部屋を防音室として改装すると、防音室の防音壁５６が既存の外壁５０の内側に所定の間隔５５を維持して設けられる。
この防音室の防音壁５６の出入り口には、中扉５２及びその内側の内扉５３の二重扉が設けられることとなる。
【０００９】
上記中扉５２及び内扉５３は、図示した通り、いずれも内側に開放されるように形成される。
これは、内部に居る人間が外に出る際に、このような構成としないと三重扉の外に出られないからである。
【００１０】
何故なら、内扉５３及び中扉５２を共に外開きにすると、外扉５１が閉鎖された状態では、これら内扉５３及び中扉５２を外側に向けて開放することが出来ないからである。
他方、内扉５３のみ内開きとし、中扉５２を外開きにしても、同じことで、外扉５１が閉鎖された状態では、中扉５２を開放することができなくなるのである。
【００１１】
そこで、防音室の内部に人間が居て外部に出られるようにするためには、内扉５３及び中扉５２を共に内側に開放できる内開きに形成する必要がある。
そうすると、今度は、外部から防音室の内部に入室する際に問題が生じるのである。
即ち、上記三重扉である外扉５１、中扉５２そして内扉５３が閉鎖された状態で、外から人間が防音室に入室する際に、まず外扉５１は開放できるものの、次の中扉５２を開放することが出来なくなるのである。
【００１２】
即ち、中扉５２を部屋の内側に向かって解放しようとすると、内扉５３が閉鎖状態にあるとこの中扉５２を開放させることができないという問題が生じるのである。
本考案では、この問題を解決するための開扉装置を創案することがその課題となる。
【００１３】
尚、上記中扉５２及び内扉５３においては、扉の右側に蝶番部が設けられており、これらの開閉用取手５２ｎ、５３ｎは、扉の外側から見て右方向に回動させて扉枠との掛止が解除されるが、上記蝶番部は、扉の左側に設けられることもあり、この場合には、開閉用取手５２ｎ、５３ｎは、扉の外側から見て左方向に回動させて扉枠との掛止が解除されることとなる。
【００１４】
但し、この開閉用取手の扉枠との掛止解除のための回動方向に関しては、この開閉用取手の構造により適宜自由に右方向又は左方向への回動を選択して設定することも可能である。
【課題を解決するための手段】
【００１５】
上記課題を解決するために、本考案の第１のものは、  建築物の部屋の出入口に設けられた二重扉が共に部屋の内側に向かって開放する内開きであり、当該二重扉を外側から開放するための開扉装置であって、当該開扉装置が外側に位置する中扉の開閉用取手の上方に配置され、当該開扉装置は、前記中扉を貫通する軸部と、軸部の外側端部に位置する操作杆と、軸部の内側端部に位置する作動杆とから成り、前記操作杆は前記軸部と略直角に配置され、前記作動杆も前記軸部と略直角に配置されて、操作杆を回動させることにより同じ方向に作動杆も回動し、前記操作杆を右方向又は左方向に回動させることにより前記作動杆も右方向又は左方向に回動して、内側に位置する内扉の開閉用取手を同時に右方向又は左方向に回動させて前記内扉の開閉用取手の掛止が解除され、前記中扉を内側に開放すると同時に前記内扉も内側に開放されることを特徴とする二重扉の開扉装置である。
ここで、上記「右方向又は左方向に回動させる」というのは、「扉の外側から見て右方向又は左方向」を意味する（以下同じである。）。
【００１６】
本考案の第２のものは、建築物の部屋の出入口に設けられた二重扉が共に部屋の内側に向かって開放する内開きであり、当該二重扉を外側から開放するための開扉装置であって、当該開扉装置が外側に位置する中扉の開閉用取手の下方に配置され、当該開扉装置は、前記中扉を貫通する軸部と、軸部の外側端部に位置する操作杆と、軸部の内側端部に位置する作動杆とから成り、前記操作杆は前記軸部と略直角に配置され、前記作動杆も前記軸部と略直角に配置されて、操作杆を回動させることにより同じ方向に作動杆も回動し、前記操作杆を左方向又は右方向に回動させることにより前記作動杆も左方向又は右方向に回動して、内側に位置する内扉の開閉用取手を同時に左方向又は右方向に回動させて前記内扉の開閉用取手の掛止が解除され、前記中扉を内側に開放すると同時に前記内扉も内側に開放されることを特徴とする二重扉の開扉装置である。
【００１７】
本考案の第３のものは、上記第１又は第２の考案において、前記操作杆の回動を阻止する回動阻止手段を中扉の外側面で、前記操作杆の近傍に設けたことを特徴とする二重扉の開扉装置である。
【００１８】
本考案の第４のものは、上記第３の考案において、前記回動阻止手段を前記操作杆の先端部の近傍に設けたことを特徴とする二重扉の開扉装置である。
【考案の効果】
【００１９】
本考案の第１のものにおいては、建築物の部屋の出入口に設けられた二重扉が共に部屋の内側に向かって開放する内開きであり、当該二重扉を外側から開放するための開扉装置は、外側に位置する中扉の開閉用取手の上方に配置され、当該開扉装置は、前記中扉を貫通する軸部と、軸部の外側端部に位置する操作杆と、軸部の内側端部に位置する作動杆とから成り、前記操作杆は前記軸部と略直角に配置され、前記作動杆も前記軸部と略直角に配置されて、操作杆を回動させることにより同じ方向に作動杆も回動し、前記操作杆を右方向又は左方向に回動させることにより前記作動杆も右方向又は左方向に回動して、内側に位置する内扉の開閉用取手を同時に右方向又は左方向に回動させて前記内扉の開閉用取手の掛止が解除され、前記中扉を内側に開放すると同時に前記内扉も内側に開放されることとなるのである。
【００２０】
即ち、上記二重扉が共に内開きである場合に、外側に位置する中扉の開閉用取手を回動してその扉枠との掛止を解除させると共に、前記開扉装置の操作杆を右方向又は左方向に回動させることにより内扉の開閉用取手を前記作動杆が回動作用を及ぼして回動させ、内扉が開かれることとなるのである。
尚、上記した通り、操作杆の回動方向が右又は左方向に回動させる点に関しては、上記中扉及び内扉の蝶番部が右側にある場合と左側にある場合の両者を考慮したためである（以下同じである。）。
【００２１】
本考案の第２のものにおいては、上記第１の考案と同じ効果を発揮するものであるが、上記開扉装置の取付位置が上記第１の考案と異なる。
即ち、この第２の考案においては、その開扉装置は、中扉の開閉用取手の下方に位置し、この開扉装置の操作杆を左方向又は右方向に回動させることにより内扉の開閉用取手が同時に左方向又は右方向に回動せられ、内扉の扉枠との掛止が解除されて内扉を開放することができることとなる。
【００２２】
本考案の第３のものにおいては、上記開扉装置の操作杆の回動を阻止できる回動阻止手段を中扉に設けたものである。
この回動阻止手段によって、不用意に操作杆が回動されないように構成したもので、操作杆にロック手段を設けたものである。
【００２３】
本考案の第４のものにおいては、前記回動阻止手段を前記操作杆の先端部の近傍に設けたことを限定したものである。
この回動阻止手段としてのロック手段は、各種のタイプのものが想定され、その取付位置も前記操作杆の近傍に設けることができるが、その位置を操作杆の先端部近傍に設けることを特定したものである。
【図面の簡単な説明】
【００２４】
【図１】本考案に係る開扉装置が適用される二重扉を含む三重扉に関する説明図である。
【図２】本考案に係る開扉装置の概念説明図であって、内扉の内側から見た要部の透視概念図である。
【図３】上記本考案に係る開扉装置の概念説明図であって、内扉及び中扉の要部側面説明図である。
【図４】本考案に係る開扉装置の回動阻止手段を示す説明図である。
【図５】図４に示した開扉装置の要部拡大説明図である。
【考案を実施するための形態】
【００２５】
以下、添付の図面と共に、本考案の実施形態について説明する。
図１は、本考案に係る開扉装置が適用される二重扉を含む三重扉に関する説明図である。
上に既に説明した通り、本考案に係る開扉装置は、この図に示したような三重扉の内側に位置する中扉５２と内扉５３の二重扉に適用される。
【００２６】
これらの中扉５２と内扉５３には、それぞれ扉を開閉することができる開閉用取手５２ｎ、５３ｎがそれぞれ設けられている。
これらの開閉用取手５２ｎ、５３ｎは、従来の扉に設けられているものと同様のタイプのものであって、当該開閉用取手５２ｎ、５３ｎを回動させることによって、扉枠との掛止が解除され、中扉５２、内扉５３が開閉されるものである。
【００２７】
この図１に示した開閉用取手５２ｎ、５３ｎは、次の図２から解る通り、それぞれ上下に配置されており、内扉５３の開閉用取手５３ｎが中扉５２の開閉用取手５２ｎの上に配置されており、後に説明するロック手段としての回動阻止手段の図示は煩雑化をさけるために省略している。
【００２８】
尚、この図１において、中扉５２と内扉５３との間の開閉用取手５２ｎと５３ｎは、上下に一列に配置されているが、解りやすくするために、下方の開閉用取手５２ｎを少しずらした状態に描いている。実際には、下方に位置する開閉用取手５２ｎは、上方から見て隠れた状態となる。
【００２９】
また、図１においては、これら中扉５２及び内扉５３は、共にその蝶番部５２ｔ、５３ｔが扉の右側（外側から見て）に設けられており、扉の左側に位置する上記開閉用取手５２ｎ、５３ｎを右方向に回動させることによって扉枠との掛止が解除され、扉を押し開けることができる。
他方、上記中扉５２及び内扉５３の蝶番部が扉の左側に設けられた場合には、開閉用取手は、それぞれ扉の右側に設けられることとなり、これらの開閉用取手は左方向に回動させることによって扉枠との掛止が解除されることとなる。
これらの扉の構造は、従来の内開きの扉の構造と同じである。
【００３０】
上記の通り、中扉５２と内扉５３の蝶番部の位置は左右の何れかの側に設けられることとなるが、図１ではその右側に蝶番部が設けられたものを例示しており、左側に蝶番部が設けられた場合には、左右の回動方向が逆になるだけで、扉と開閉用取手の構造は同様のものとなる。
【００３１】
但し、開閉用取手に関しては、この取手が取り付けられる扉の蝶番部が右側又は左側に設けられようと、取手の形態によりその回動方向は右又は左の何れかの方向に回動させる構造とすることもできる。
要するに、扉の開閉用取手に関しては、扉の蝶番部が右側に設けられようと、左側に設けられようと、その取手を右又は左の何れかの方向に回動させることにより扉枠との掛止を解除することができるように設計することができる。
【００３２】
図２は、本考案に係る開扉装置の概念説明図であって、内扉の内側から見た要部の透視概念図である。
図３は、同じく本考案に係る開扉装置の概念説明図であって、内扉及び中扉の要部側面説明図である。
【００３３】
中扉５２の左側縁部には開閉用取手５２ｎが設けられている。
内扉５３の左側縁部には開閉用取手５３ｎが設けられている。
開閉用取手５２ｎは、図２から解る通り、外側から見て左方向に（図２では右方向に）回動させると、その掛止部５２ｋの扉枠からの掛止が解除される。
他方、開閉用取手５３ｎは、図２から解る通り、外側から見て右方向（図２では左方向に）回動させると、その掛止部５３ｋの扉枠からの掛止が解除される。
【００３４】
開閉用取手５３ｎは、開閉用取手５２ｎの丁度真上に位置していて、上下に１列に配置されている。
真上というのは、開閉用取手５３ｎの回動軸部５３ｊが開閉用取手５２ｎの回動軸部５２ｊの真上に位置するという意味である。
【００３５】
本考案に係る開扉装置１０は、中扉５２の外面に位置する操作杆１１と、この操作杆１１の基端部に設けられた回動軸部１２と、この回動軸部１２の内側端部に設けられた作動杆１３とから成り、上記回動軸部１２は、中扉５２を貫通して設けられている。
【００３６】
また、上記開扉装置１０の回動軸部１２は、上記中扉５２に設けられた開閉用取手５２ｎの回動軸部５２ｊの真上に配置される。
回動軸部１２の外側端部に設けられた上記操作杆１１は、回動軸部１２と略直角に設けられ、同様に、回動軸部１２の内側端部に設けられ上記作動杆１１も回動軸部１２と略直角に設けられている。
【００３７】
操作杆１１と作動杆１３とは、図２から解る通り、作動杆１３が外側から見て右方向に多少傾斜して設けられているが、同一方向に略平行に設けることもできる。
操作杆１１を外側から見て右方向に回動させると、同じ角度分作動杆１３も外側から見て右方向に回動する。
【００３８】
開扉装置１０の作動杆１３は、内扉５３に設けられた開閉用取手５３ｎに沿うように配置されており、作動杆１３が外側から見て右方向に回動されると、上記開閉用取手５３ｎも外側から見て（図２では左方向に）回動し、扉枠との掛止が解除されることとなる。
【００３９】
以上の構成により、中扉５２の開扉装置１０の操作杆１１を右方向に回動させると、内扉５３の開閉用取手５３ｎも右方向に回動して内扉５３の開閉用取手５３ｎを回動させて扉枠との掛止が解除され、内扉５３を開放できる状態となり、この状態で中扉５２の開閉用取手５２ｎを右方向に回動させることによりその扉枠との掛止も解除され、中扉５２と内扉５３は同時に内側に向かって開放されることとなるのである。
【００４０】
図４は、本考案に係る開扉装置の回動阻止手段を示す説明図である。
図５は、図４の要部拡大説明図である。
上記した通り、本考案に係る開扉装置１０の回動阻止手段は、上記開扉装置１０の操作杆１１の上部先端部に配置された回動阻止部材２０から成る。
【００４１】
この回動阻止部材２０は、横断面略コ字形状のものから成り、中扉５２の左側縁部に固定された取付部２１に回動自在に軸着されたものである。
この取付部２１も、横断面略コ字形状を有し、中扉５２の左側縁部に固定されている。
【００４２】
図４に図示した通り、開扉装置１０の操作杆１１を縦方向一文字状の縦位置に配置し、その上部である先端部を上記取付部２１の位置に配置して回動阻止部材２０の両脚部２２、２２の間に配置することによって、操作杆１１の回動が阻止される。
【００４３】
再度、具体的には、回動阻止部材２０をその軸着部を中心にして手前側上方に回動させ、操作杆１１の先端部１１ｓを上記両脚部２２、２２の間に配置させて、回動阻止部材２０の両脚部を元の位置に戻すことによって、操作杆１１の先端部１１ｓが固定され、ロックされることとなる。これにより操作杆１１の回動が阻止されるのである。
【００４４】
上記回動阻止部材２０は、一つの例であり、操作杆１１の回動を阻止するロック手段は各種の構成のものを考えることが出来る。
この回動阻止手段は、操作杆１１の上下中間部に設けることもでき、横断面略コ字形状のものを回動自在に設けることによって実施することができる。
【００４５】
以上、本考案の実施形態について説明したが、その形態については以下の通り各種設計変更することができる。
扉に設けた開閉用取手の構造は、各種のものが考えられ、図２に図示したものにあっては、開閉用取手の基端部の軸部の他端に突起部を設けたもので、前記開閉用取手を回動させることによってこの突起部も回動し、扉枠との掛止が解除されるタイプのものであったが、この開閉用取手は、開閉用取手を回動させることによって扉枠に掛止された突起が扉内部に引っ込むタイプのものでもよく、後者については、図４に図示したものがそれである。
【００４６】
また、開閉用取手は、常に扉枠との掛止位置に復帰するようにバネ付勢を設けており、内扉に関しては、当該内扉が常に扉枠に閉鎖される方向に付勢する付勢手段が設けられている。この構成は、従来存在している扉の構成と全く同じである。
回動阻止部材の操作杆は、上下に長い板状体のものを使用したが、その長さや幅は自由に設定することができる。
【００４７】
最後に、上記開閉阻止部材は、上記実施形態と上下反対に中扉の開閉用取手の下方に設けることも可能である。
この際には、内扉の開閉用取手は中扉の開閉用取手の下方に配置する必要があり、上下反対位置に形成されることとなる。
【００４８】
以上、本考案は、極めて簡易な構成で、開扉装置の操作杆を回動させることによって、二重扉の内扉の掛止を中扉の外側から解除することができ、これにより中扉の開閉用取手を回動してその扉枠との掛止を解除して、同時に中扉及び内扉からなる二重扉を外側から開放することができるものを提供することができた。
【符号の説明】
【００４９】
１０  開扉装置
１１  操作杆
１１ｓ  先端部
１２  回動軸部
１３  作動杆
２０  回動阻止部材
２１  取付部
２２  脚部
５１  外扉
５２  中扉
５２ｎ、５３ｎ  開閉用取手
５２ｊ、５３ｊ  回動軸部
５２ｔ、５３ｔ  蝶番部
５２ｋ、５３ｋ  掛止部
５３  内扉
【図１】
0003217503.tif 000003
【図２】
0003217503.tif 000004
【図３】
0003217503.tif 000005
【図４】
0003217503.tif 000006
【図５】
0003217503.tif 000007